(57)【要約】      （修正有）【課題】内容器と外容器とを、より簡単で確実に組み付けることができる二重容器を提供する。【解決手段】樹脂製の内容器１０と樹脂製の外容器２０とを組み合わせることで二重となるカップ状の二重容器であって、外容器２０の上縁２１の先端部である外容器上縁先端部２１Ａは外側方向に突出し、内容器１０の上縁１１は外側方向に突出したのち外容器上縁先端部２１Ａの上部から下部に回り込むように内側方向に折り返され、内容器１０の上縁の折り返し構造は、水平な内容器上縁水平部１１Ｂと内容器上縁水平部１１Ｂから垂下する内容器上縁先端部１１Ａとを有するように形成された内容器１０の上縁１１の内容器上縁水平部１１Ｂの下部に対して、外容器上縁先端部２１Ａの上部を当接させ、内容器上縁先端部１１Ａに外力を加えて内側方向に折り返すことで形成することを特徴とする。【選択図】図２
0003182402.tif 000002
【実用新案登録請求の範囲】
【請求項１】
樹脂製の内容器と樹脂製の外容器とを組み合わせることで二重となるカップ状の二重容器であって、
前記外容器の上縁の先端部である外容器上縁先端部は外側方向に突出し、
前記内容器の上縁は外側方向に突出したのち前記外容器上縁先端部の上部から下部に回り込むように内側方向に折り返され、
前記内容器の上縁の折り返し構造は、水平な内容器上縁水平部と前記内容器上縁水平部から垂下する内容器上縁先端部とを有するように形成された前記内容器の上縁の前記内容器上縁水平部の下部に対して、前記外容器上縁先端部の上部を当接させ、前記内容器上縁先端部に外力を加えて内側方向に折り返すことで形成することを特徴とする二重容器。
【請求項２】
樹脂製の内容器と樹脂製の外容器とを組み合わせることで二重となるカップ状の二重容器であって、
前記外容器の上縁は外側方向に突出したのち下方の内側方向に折り返され、
前記内容器の上縁は外側方向に突出したのち前記外容器上縁先端部の上部から下部に回り込むように内側方向に折り返され、
前記内容器及び前記外容器の上縁の折り返し構造は、水平な内容器上縁水平部と前記内容器上縁水平部から垂下する内容器上縁先端部とを有するように形成された前記内容器の上縁の前記内容器上縁水平部の下部に対して、水平な外容器上縁水平部と前記外容器上縁水平部から垂下する前記外容器上縁先端部とを有するように形成された前記外容器の上縁の前記外容器上縁水平部の上部を当接させ、前記内容器上縁先端部及び前記外容器上縁先端部に外力を加えて内側方向に折り返すことで形成することを特徴とする二重容器。
【考案の詳細な説明】
【技術分野】
【０００１】
本考案は、内容器と外容器とを組み合わせることで構成される二重容器に関する。
【背景技術】
【０００２】
従来、内容器と外容器とで構成されるカップ状の二重容器がある。これは、内容器の内部に収納された食品等の内容物が常温と比較して高温又は低温である場合、内容物の温度を変えないように、又は内容物の温度が外容器を把持している手に伝わることを緩和するために、容器側面を二重に構成している。
【０００３】
二重構成とするためには、内容器と外容器とを固定する必要がある。ここで従来は、内容器及び外容器に、互いに嵌合する突起又は溝を形成することが一般的であった（例えば、特許文献１参照）。
【先行技術文献】
【特許文献】
【０００４】
【特許文献１】特開平６−３１２７６９
【考案の概要】
【考案が解決しようとする課題】
【０００５】
しかしながら、内容器及び外容器に、突起又は溝等の嵌合部を形成すると、嵌合部の構造が複雑となる。
【０００６】
また、突起と溝とを嵌合する構成であると、運搬時や使用時の衝撃によっても嵌合性を確保するために、嵌合が外れにくい複雑な構造とする必要がある。すると、内容器と外容器とを組み立てる場合において、嵌合作業に手間がかかるといった問題があった。
【０００７】
一方で、内容器及び外容器に形成される突起又は溝等の構造簡単にすると、組み立てやすいが抜けやすいという問題が生じやすい。
【０００８】
そこで、本考案の目的は、二重容器における内容器と外容器とを、より簡単で確実に組み付けることである。
【課題を解決するための手段】
【０００９】
上述の目的を達成するための本考案の第１の構成は、樹脂製の内容器と樹脂製の外容器とを組み合わせることで二重となるカップ状の二重容器であって、前記外容器の上縁の先端部である外容器上縁先端部は外側方向に突出し、前記内容器の上縁は外側方向に突出したのち前記外容器上縁先端部の上部から下部に回り込むように内側方向に折り返され、前記内容器の上縁の折り返し構造は、水平な内容器上縁水平部と前記内容器上縁水平部から垂下する内容器上縁先端部とを有するように形成された前記内容器の上縁の前記内容器上縁水平部の下部に対して、前記外容器上縁先端部の上部を当接させ、前記内容器上縁先端部に外力を加えて内側方向に折り返すことで形成することを特徴とする二重容器である。
【００１０】
また、第２の構成は、樹脂製の内容器と樹脂製の外容器とを組み合わせることで二重となるカップ状の二重容器であって、前記外容器の上縁は外側方向に突出したのち下方の内側方向に折り返され、前記内容器の上縁は外側方向に突出したのち前記外容器上縁先端部の上部から下部に回り込むように内側方向に折り返され、前記内容器及び前記外容器の上縁の折り返し構造は、水平な内容器上縁水平部と前記内容器上縁水平部から垂下する内容器上縁先端部とを有するように形成された前記内容器の上縁の前記内容器上縁水平部の下部に対して、水平な外容器上縁水平部と前記外容器上縁水平部から垂下する前記外容器上縁先端部とを有するように形成された前記外容器の上縁の前記外容器上縁水平部の上部を当接させ、前記内容器上縁先端部及び前記外容器上縁先端部に外力を加えて内側方向に折り返すことで形成することを特徴とする二重容器である。
【考案の効果】
【００１１】
上記第１及び第２の構成によれば、内容器上縁と外容器上縁とを簡単且つ確実に組み付けることができる。
【図面の簡単な説明】
【００１２】
【図１】第１実施形態にかかる二重容器の断面図。
【図２】第１実施形態における二重容器の上縁の形成手順の拡大図。
【図３】第２実施形態における二重容器の上縁の形成手順の拡大図。
【図４】他の実施形態における二重容器の上縁の形成手順の拡大図。
【考案を実施するための形態】
【００１３】
〔第１実施形態〕
本考案の第１実施形態を図を用いて説明する。図１は第１実施形態における二重容器の断面図である。
【００１４】
図１に示すように、二重容器１はカップ状であり、樹脂製の内容器１０と、樹脂製の外容器２０とを組み合わせることで二重となる。
【００１５】
内容器１０は、その下方において外容器２０よりも小さい。このため、二重容器１の下方における内容器１０と外容器２０との間には、空隙Ｓが形成される。このように空隙Ｓが形成されると、空隙Ｓ内の空気が断熱作用を発揮する。すると、内容器１０内に収容された不図示の内容物の熱（冷熱、温熱）が外容器２０の外に放出されることを抑制する。すると、外容器２０を把持した手に対して内容物からの熱が伝わりにくくなるため、二重容器１は把持しやすい容器となる。
【００１６】
更に、内容器１０と外容器２０との間に空隙Ｓがあることにより、内容物の熱によって内容器１０が変形しても、変形量が空隙Ｓの範囲内である場合には、外容器２０を変形させることがない。よって、外容器２０を一定の形状に保つことができる。
【００１７】
次に、内容器１０と外容器２０とを固定する構成について説明する。図２は第１実施形態における二重容器の上縁の形成手順の拡大図である。
【００１８】
図１及び図２に示すように、外容器２０の上縁２１の先端部である外容器上縁先端部２１Ａは、外容器２０の中心から外側方向に突出する。一方、内容器１０の上縁１１は外側方向に突出したのち外容器上縁先端部２１Ａの上部から下部に回り込むように内側方向に折り返される。これにより、内容器１０の上縁１１の内容器上縁先端部１１Ａが内側方向に向く。
【００１９】
ここで、内容器１０の上縁１１の折り返し構造は、次のように構成される。図２において、（ａ）は内容器１０の内容器上縁先端部１１Ａの形状を示し、（ｂ）は内容器１０の上縁１１と外容器２０の上縁２１の当接状態を示し、（ｃ）は内容器１０の上縁１１と外容器２０の上縁２１との嵌合構成を示す。
【００２０】
まず、図２（ａ）に示すように、内容器１０の上縁１１は、水平な内容器上縁水平部１１Ｂと内容器上縁水平部１１Ｂから垂下する内容器上縁先端部１１Ａとを有するように形成される。
【００２１】
次に、図２（ｂ）に示すように、上記状態に形成された内容器１０の内容器上縁水平部１１Ｂの下部に対し、外容器２０の外容器上縁先端部２１Ａの上部を当接させる。
【００２２】
そして、不図示の成形装置に二重容器１を挿入することで、図２（ｃ）に示すように、内容器上縁先端部１１Ａに外力を加えて内側方向に折り返す。
【００２３】
このように、内容器上縁先端部１１Ａが、外容器上縁先端部２１Ａの下面に回り込むように変形されると、内容器１０と外容器２０とが確実に嵌合する。これにより、図１に示す二重容器１が完成する。
【００２４】
また、互いに固定されるために必要な構成は簡単なものである。すなわち、内容器１０の内容器上縁先端部１１Ａは折り返しただけであり、外容器２０の外容器上縁先端部２１Ａは外側に突出させただけある。これは、溝や突起と比較して簡単な構成となる。このように、簡単な構成によって、嵌合を確実なものとすることができる。
【００２５】
〔第２実施形態〕
図３は第２実施形態における二重容器の上縁の形成手順の拡大図である。（ａ）は内容器上縁先端部１１Ａ及び外容器上縁先端部２１Ａの成形前の形状を示し、（ｂ）は内容器１０の上縁１１と外容器２０の上縁２１との嵌合構成を示す。前述と同様の構成については、同様の符合を付すことで説明を省略する。本実施形態においては、内容器上縁先端部１１Ａのみならず、外容器上縁先端部２１Ａも同時に内側に折り返す嵌合構成を採用する。
【００２６】
図３（ｂ）に示すように、本実施形態の二重容器は、樹脂製の内容器１０と樹脂製の外容器とを組み合わせることで構成される。完成状態において、外容器２０の上縁２１は外側方向に突出したのち下方の内側方向に折り返される。また、内容器１０の上縁１１は外側方向に突出したのち外容器上縁先端部２１Ａの上部から下部に回り込むように内側方向に折り返される。
【００２７】
内容器１０及び外容器２０の上縁の折り返し構造は、次のように成形される。
【００２８】
まず、図３（ａ）に示すように、内容器１０の上縁１１は、水平な内容器上縁水平部１１Ｂと内容器上縁水平部１１Ｂから垂下する内容器上縁先端部１１Ａとを有するように形成される。
【００２９】
次に、内容器上縁水平部１１Ｂの下部に対して、水平な外容器上縁水平部２１Ｂと外容器上縁水平部２１Ｂから垂下する外容器上縁先端部２１Ａとを有するように形成された外容器２０の上縁２１の外容器上縁水平部２１Ｂの上部を当接させる。
【００３０】
そして、図３（ｂ）に示すように、内容器上縁先端部１１Ａ及び外容器上縁先端部２１Ａに外力を加えて内側方向に折り返す。
【００３１】
このように、内容器上縁先端部１１Ａが、外容器上縁先端部２１Ａの下面に回り込むように変形されると、内容器１０と外容器２０とが確実に嵌合する。これにより、図１に示す二重容器１が完成する。
【００３２】
〔他の実施形態〕
図４は他の実施形態における二重容器の上縁の形成手順の拡大図である。（ａ）は内容器上縁先端部１１Ａ及び外容器上縁先端部２１Ａの成形前の形状を示し、（ｂ）は内容器１０の上縁１１と外容器２０の上縁２１との嵌合構成を示す。前述と同様の構成については、同様の符合を付すことで説明を省略する。
【００３３】
前述の構成においては、内容器上縁先端部１１Ａを外容器上縁先端部２１Ａの上面から下面に曲げることで、内容器１０と外容器２０とを嵌合させることとした。ここで、前述の実施形態においては、内容器上縁先端部１１Ａのみを当該下面に完全に当接させるまで曲げている。しかしながら、これに限るものではない。
【００３４】
例えば、まず、図４（ａ）に示すように、前述と同様に、内容器上縁先端部１１Ａを垂下方向に形成する。次に、内容器上縁先端部１１Ａを内側に折り曲げ、この曲げ力によって外容器上縁先端部２１Ａを上方に折り曲げる。すると図４（ｂ）に示すように、内容器上縁先端部１１Ａとともに外容器上縁先端部２１Ａも変形した状態となる。
【００３５】
このように、内容器上縁先端部１１Ａのみならず、外容器上縁先端部２１Ａを同時に曲げることによっても、嵌合構成を形成することができる。
【符号の説明】
【００３６】
Ｓ…空隙
１…二重容器
１０…内容器
１１…上縁
１１Ａ…内容器上縁先端部
１１Ｂ…内容器上縁水平部
２０…外容器
２１…上縁
２１Ａ…外容器上縁先端部
２１Ｂ…外容器上縁水平部
【図１】
0003182402.tif 000003
【図２】
0003182402.tif 000004
【図３】
0003182402.tif 000005
【図４】
0003182402.tif 000006